(57)【特許請求の範囲】
【請求項１】
用紙出力装置に対して一体もしくは別体に、あるいは付設されて用紙出力装置から排出される用紙を受取る入口駆動部と、この入口駆動部から導かれた用紙に穿孔処理を施す穿孔手段と、この穿孔手段から導かれた用紙搬送する搬送駆動部とを備えた用紙処理装置において、
画像形成装置からの前記用紙が前記入口駆動部と前記搬送駆動部に跨る場合は前記入口駆動部と前記搬送駆動部をともに第１の搬送速度で搬送し、画像形成装置から前記用紙を受取った後、穿孔停止位置より用紙搬送上流の任意の位置に前記用紙が到達するまでを前記入口駆動部と前記搬送駆動部をともに第２の搬送速度に増速して搬送する制御手段を備えていることを特徴とする用紙処理装置。
【請求項２】
前記制御手段は、画像形成装置から受取った前記用紙の後端が前記入口駆動部を抜けた後、任意のタイミングで前記入口駆動部と前記搬送駆動部の同期駆動を解除し、それぞれ単独で非同期に速度の制御を行うことを特徴とする請求項１記載の用紙処理装置。
【請求項３】
前記制御手段は、前記第２の搬送速度で搬送中の前記用紙が前記入口駆動部を抜け、前記搬送駆動部に到達した後は、任意のタイミングで後続用紙が前記入口駆動部に到達する以前に前記入口駆動部を前記第１の搬送速度に減速することを特徴とする請求項１記載の用紙処理装置。
【請求項４】
前記制御手段は、前記第２の搬送速度で搬送中の前記用紙が前記入口駆動部を抜け、前記搬送駆動部に到達した後は、任意のタイミングで前記搬送駆動部を減速停止し、前記用紙へのパンチ穿孔を行うことを特徴とする請求項１記載の用紙処理装置。
【請求項５】
前記制御手段は、前記画像形成装置が高速、高ＰＰＭ、あるいは用紙間隔が小さい場合は、前記第１の搬送速度と前記第２の搬送速度の差が大きくなるように前記第２の搬送速度を高速にすることを特徴とする請求項１記載の用紙処理装置。
【請求項６】
前記制御手段は、前記画像形成装置が低速、低ＰＰＭ、あるいは用紙間隔が大きい場合は、前記第１の搬送速度と前記第２の搬送速度の差が小さくなるように増速速度を低速にすることを特徴とする請求項１記載の用紙処理装置。
【請求項７】
前記制御手段は、パンチ終了後、前記搬送駆動部を前記第１搬送速度以上の搬送速度まで加速して前記用紙を搬送することを特徴とする請求項１記載の用紙処理装置。
【発明の詳細な説明】
【０００１】
【発明の属する技術分野】
本発明は、複写機、プリンタ、ファクシミリなどの画像形成装置に代表される用紙出力装置に一体もしくは別体に、あるいは付設され、用紙出力装置から導かれた用紙に穿孔処理を行う用紙処理装置に関する。
【０００２】
【従来の技術】
例えば複写機、プリンタ、ファクシミリなどの画像形成装置においては、この画像形成装置によってより画像が記録された用紙に対して、仕分けしたり、ステープルで綴じたり、ファイリングのための穿孔を行ったり、押印をしたり、あるいは情報の付加を行うなどの処理を行う用紙処理装置は従来から種々提供されている。
【０００３】
このような用紙処理装置において、ファイリングするための穿孔すなわちパンチ処理を行うパンチ装置が多く搭載されるようになっている。パンチ装置としては、安価ではあるが、用紙を一旦停止させてからパンチ穿孔を行うためパンチ処理の効率が低いプレス式パンチ装置と、高価であるが、用紙を停止させることなくパンチ穿孔が行えるためパンチ処理の効率が良いロータリー式パンチ装置とある。高速、高ＰＰＭ、排出される用紙間隔（時間）の小さい画像形成装置では、用紙を停止することなくパンチ穿孔が行えるロータリー式パンチ装置が用いられているが、このロータリー式パンチ装置は高価であり、用紙処理装置のコストアップにつながってしまう。
【０００４】
そこで、例えば特開平９−１１０２３５号公報には、用紙処理装置の入口や内部を搬送中の搬送速度と、穿孔後は増速して搬送するとともに、穿孔の直前では減速停止させるように搬送速度を制御して、パンチ処理時間を効率化することが提案されている。また、特開２０００−８４８９３号公報には、穿孔処理後は高速で搬送することが提案されている。
【０００５】
【発明が解決しようとする課題】
本発明はこれら従来技術を改良して、パンチ処理に要する時間を更に短縮して、高速、高ＰＰＭ、用紙間隔の小さい画像形成装置にも対応可能で、画像形成装置からの用紙を受け取り完了後に増速して後続用紙との紙間を稼ぐようにした用紙処理装置を提供することを目的としている。
【０００６】
【課題を解決するための手段】
前記目的を達成するため、第１の手段は、画像形成装置に対して一体もしくは別体に、あるいは画像形成装置に付設され、画像形成装置から排出される用紙を受取る入口駆動部と、この入口駆動部から導かれた用紙に穿孔処理を施す穿孔手段と、この穿孔手段から導かれた用紙搬送する搬送駆動部とを備えた用紙処理装置において、画像形成装置からの前記用紙が前記入口駆動部と前記搬送駆動部に跨る場合は前記入口駆動部と前記搬送駆動部をともに第１の搬送速度で搬送し、画像形成装置から前記用紙を受取った後、穿孔停止位置より用紙搬送上流の任意の位置に前記用紙が到達するまでを前記入口駆動部と前記搬送駆動部をともに第２の搬送速度に増速して搬送する制御手段を備えている。
【０００７】
前記目的を達成するため、第２の手段は、第１の手段において、前記制御手段が、画像形成装置から受取った前記用紙の後端が前記入口駆動部を抜けた後、任意のタイミングで前記入口駆動部と前記搬送駆動部の同期駆動を解除し、それぞれ単独で非同期に速度の制御を行っている。これにより、先行用紙のパンチ穿孔と後続の用紙受け入れを並列処理することができ、より高速に処理することができる。
前記目的を達成するため、第３の手段は、第１の手段において、前記制御手段が、前記第２の搬送速度で搬送中の前記用紙が前記入口駆動部を抜け、前記搬送駆動部に到達した後は、任意のタイミングで後続用紙が前記入口駆動部に到達する以前に前記入口駆動部を前記第１の搬送速度に減速しており、第２の搬送速度で搬送中の用紙が入口駆動部から次の搬送駆動部へ受け渡しが完了した後は、速やかに減速され、後続の用紙の受け入れを可能にしている。
【０００８】
前記目的を達成するため、第４の手段は、第１の手段において、前記制御手段が、前記第２の搬送速度で搬送中の前記用紙が前記入口駆動部を抜け、前記搬送駆動部に到達した後は、任意のタイミングで前記搬送駆動部を減速停止させ、前記用紙へのパンチ穿孔を行うように制御しているので、急速停止による用紙低地位置のずれ、停止位置のバラつきを小さくすることができる。
前記目的を達成するため、第５の手段は、第１の手段において、前記制御手段が、前記画像形成装置が高速、高ＰＰＭ、あるいは用紙間隔が小さい場合は、前記第１の搬送速度と前記第２の搬送速度の差が大きくなるように前記第２の搬送速度を高速にしている。これにより、パンチ処理時間を稼ぐことができ、高速、高ＰＰＭ、あるいは用紙間隔が小さいような画像形成装置にも対応させることができる。
【０００９】
前記目的を達成するため、第６の手段は、第１の手段において、前記制御手段が、前記画像形成装置が低速、低ＰＰＭ、あるいは用紙間隔が大きい場合は、前記第１の搬送速度と前記第２の搬送速度の差が小さくなるように増速速度を低速にし、低速、低ＰＰＭ、あるいは用紙間隔がパンチ処理時間に対して十分間に合う場合は、必要以上に台２搬送速度を上げずに、できるだけ低速で搬送してパンチ孔位置の制度を向上させている。
【００１０】
前記目的を達成するため、第７の手段は、第１の手段において、前記制御手段がパンチ終了後、前記搬送駆動部を前記第１搬送速度以上の搬送速度まで加速して前記用紙を搬送し、パンチ処理終了後の用紙と後続用紙との間が詰まることにより発生するまるまりやスタック用紙の押し出しなどの不具合を防止している。
【００１１】
【発明の実施の形態】
以下、図面を参照し、本発明の実施の形態について説明する。
【００１２】
図１は本発明の実施の形態に用いられるプレスパンチ装置を示す斜視図、図２は図１のプレスパンチ装置の駆動カムを示す斜視図、図３は図２の駆動カムを別の方向から見た状態を示す斜視図、図４は図１のプレスパンチ装置に用いられるカムホルダを示す斜視図、図５は図４のカムホルダを別の方向から見た状態を示す斜視図、図６は図４のカムホルダの底面図、図７は図１のプレスパンチ装置に用いられるパンチを示す斜視図、図８は図７のパンチの平面図である。
【００１３】
図１に示すように、プレスパンチ装置１は、複数のパンチ１３と、１本の回転軸１５と、パンチ１３の上下動を制御する駆動カム１７と、２つのパンチ１３と１つの駆動カム１７とを納めるカムホルダ１８とを備えており、後述する用紙後処理装置２００のケージング（図示しない）に下ブラケット１１を介してネジ止めされている。この下ブラケット１１には、略コ字形の上ブラケット１２がネジ１１ａで固定されており、この上ブラケット１２との間に用紙が通り抜けることができる程度の隙間が形成され、パンチ穿孔する用紙を一時的に保持するようになっている。なお、下ブラケット１１には、パンチ１３と同軸位置にパンチ１３より少し大きめの穴（図示しない）が穿設されており、パンチ１３の下側の刃先部分が下ブラケット１１を貫通できるようになっている。上ブラケット１２は中央部側の平面部１２ａとこの両側に起立する壁面部１２ｂとから構成されている。平面部１２ａには、軸受１４が圧入されており、両壁面部１２ｂには回転軸１５を回転自在に支持するためのベアリング１６が取付けてある。軸受１４には、各パンチ１３の上下動作をガイドするためにパンチ挿入孔（図示しない）が形成されている。
【００１４】
回転軸１５には、図示していないが、平行ピンを挿入するための孔が設けてあり、その平行ピンを介して駆動カム１７が取付けられている。このように、駆動カム１７を平行ピンで取付けるため、回転軸１５は駆動カム１７との間には若干の遊びが設けられ、駆動カム１７に設けたパンチ１３が軸受１４のパンチ孔から多少ずれても、そのずれを容易に吸収して取付けられるようになっている。
【００１５】
駆動カム１７は、図２および図３に示すように、パンチ１３を押し下げるためのカム（以下、「押下カム」と称する）１７ａと、パンチ１３を押上げるためのカム（以下、「押上カム」と称する）１７ｂとの２種のものを有している。このうち押下カム１７ａは、回転軸１５を２７０度かけて回動させて、つまり、ゆっくりとパンチ１３を押し下げることができるカム面を有している。一方、押上カム１７ｂは回転軸１５を９０度回転させて、つまり、一気にパンチ１３を持ち上げるように形成されている。なお、図２および図３において、符号１７ｃはパンチ１３が最降下して下支点に達したときに、この駆動カム１７の押下カム１７ａが次に説明するカムホルダ１８に当接する面（以下、「中立面」とよぶ）を示すものである。
【００１６】
カムホルダ１８は、図４ないし図６に示すように、略箱型に形成されており、駆動カム１７の外周を取り囲むようになっている。このカムホルダ１８には、駆動カム１７の押下カム１７ａと接触する第１接触面１８ａと、押上カム１７ｂと接触する第２接触面１８ｂとを有している。さらに、このカムホルダ１８には、駆動カム１７の回転運動により上下のブラケット１１，１２に向けて往復運動できるようにするとともに、そのガイドとなる長孔状の切り欠き１８ｃが形成されている。この切り欠き１８ｃには、カムホルダ１８の水平方向への回転を阻止する機能も付与されている。
【００１７】
カムホルダ１８は、駆動カム１７側の押下カム１７ａがカムホルダ１８の床側の第１接触面１８ａに接触したときに下方へ押下げられ、逆に駆動カム１７の押上カム１７ｂがカムホルダ１８の天井部分のうち左右両側部分から下がった第２接触面１８ｂに接触したときに上方へ持ち上げられるようになっている。なお、このカムホルダ１８の底面部分には、パンチ１３を取付けるための３つの溝１８ｄ，１８ｆ，１８ｈと位置決めのための３つの長孔１８ｅ，１８ｇ，１８ｉとが形成されている。この実施の形態では用紙に４つのパンチ孔を形成するようになっているので、真中に位置する溝１８ｈおよび長穴１８ｉにはパンチ１３は取付けられていない。
【００１８】
パンチ１３は、圧入された軸受１４にガイドされながら、上下方向に往復運動するカムホルダ１８とともに、一体に上下運動しながら用紙などにパンチ孔を開けるものである。そのため、このパンチ１３は、図７および図８に示すように、下部に刃先を設けており、上部には各ホルダ１８の溝１８ｄ，１８ｆ，１８ｈに係合状態で挿入・装着させるためのくびれた首部１３ｃが形成されている。なお、この刃先の下端部には、凹状に形成された下端面１３ｂと、この下端面１３ｂを挟んだ両端部に鋭くエッジ状に形成された最下部１３ａとを有している。
【００１９】
このプレスパンチ装置１のパンチ処理の動作について説明すると、画像形成装置で画像形成され、用紙後処理装置内を搬送される用紙は、図１に示すパンチ処理装置を通過する際に、パンチ処理が行われる。
【００２０】
このパンチ処理がなされる用紙がパンチ処理装置１へ搬送されてくるのに先立ち、パンチ１３は用紙の搬送動作の邪魔にならないように駆動カム１７のうち押上カム１７ｂによって持ち上げられた状態で待機している。このときの駆動カム１７の回転姿勢（押上カム１７ｂが鉛直上向きの状態）をホームポジション（以下、「ＨＰ」と称する）とする。用紙はパンチ穿孔される搬送位置（以下、「処理位置」と称する）で一時停止するように制御されており、用紙がその処理位置に停止すると、駆動力を伝達するための図示せぬクラッチをオンし、駆動源である後述する図１０のパンチモータ３２７からの駆動力が回転軸１５に伝達され、回転軸１５が平行ピンを介して駆動カム１７を回転させる。
【００２１】
駆動カム１７が回転をはじめると、駆動カム１７のうち押下カム１７ａによってカムホルダ１８の第１接触面１８ａが徐々に下方へ押し出されていく。駆動カム１７によってカムホルダ１８が押し下げられると、カムホルダ１８と一体のパンチ１３も押し下げられる。駆動カム１７の回転動作によってパンチ１３の刃先部分が用紙に到達すると徐々に穿孔が行われていく。穿孔動作はパンチ１３の刃先において、最下部１３ａから下端面１３ｂまで行われる。穿孔動作が完了すると、駆動カム１７はさらに回動し、２７０度回動したところでパンチ１３が下支点まで移動される。このときパンチ１３のストローク量が最大となり駆動カム１７は押下カム１７ａの中立面１７ｃでカムホルダ１８の第１接触面１８ａを押し下げる。
【００２２】
このように回転軸１５およびこれと一体に回動する駆動カム１７による２７０度の回動動作により押し下げられたパンチ１３は、駆動カム１７による残り９０度回動動作により、押下カム１７ｂに第２接触面１８ｂが一気に持ち上げられる。したがって、これと一体のパンチ１３も用紙から離脱して上方に持ち上げられていき、ＨＰに復帰する。なお、ここで用紙に穿孔後のパンチ１３については、ゆっくりと初期位置へ戻っても、素早く一気に戻っても、すでに形成している穿孔に何ら影響を及ぼすことがないから、できるだけ速くＨＰに戻ることにより、一巡するパンチ処理時間の短縮化を図ることができるようになっている。
【００２３】
本発明の用紙後処理装置を図９に基づいて説明する。排紙コロ１０１によって画像形成装置１００から排出された用紙は、用紙後処理装置２００の入口ガイド板２０１を通り、入口搬送コロ２０２によって用紙後処理装置２００内に搬入される。用紙搬送の駆動源はステップモータで行うことにより、制御上１パルス当たりの搬送距離が分かるようになっており、これにより入口搬送コロ２０２の下流側に位置する上述したプレスパンチ装置１が納められたパンチ処理装置５０２のパンチ穿孔位置に用紙を正確に停止させることができる。この実施の形態においては３６０ｍｍ／ｓｅｃの搬送速度で用紙を搬送し、１パルス当たり約０．０９ｍｍの分解能で搬送距離を制御できるようなギヤ比に設定している。この実施の形態での搬送の駆動は、入口搬送コロ２０２を駆動する入口駆動部、搬送コロ２０３，２０５，２０６を駆動する搬送駆動部、出口排紙コロ２１１を駆動する排紙駆動部、搬送コロ２０７，２０８，２０９を駆動する下搬送駆動部に分かれており、それぞれ単独で駆動できるようになっている。入口搬送コロ２０２の下流側にパンチ処理装置５０２が配置されており、用紙１枚ごとにパンチ穿孔を行える。パンチ処理装置５０２の下流側には搬送コロ２０３が位置している。搬送コロ２０３の下流側には、用紙の綴じ処理を行わないで排紙するための搬送路２１２または綴じ処理を行うためステープラで構成された綴じ装置４０１への搬送路２１３に用紙の搬送方向を切り替える切り替え爪２０４が位置している。
【００２４】
搬送路２１３の搬送コロ２０９の下流側には綴じ装置４０１により綴じ処理を行うに際して用紙を保持するステープルトレイ４０２、用紙の整合を行うためのジョガーフェンス４０３、用紙を叩いて整合するための戻しローラ２１０など従来と同様な配置構成となっている。４０４と４０５は折りローラ、４０６は折りプレートであり、ステープルトレイ上で綴じ処理が行われた用紙を中折りして排紙トレイ３０１に排紙する。
【００２５】
次に、図１０により制御回路の構成を説明すると、用紙後処理装置２００内の用紙を検知するために設けられたセンサやスイッチ（図示しない）などからの信号がＩ／Ｏインターフェイス３６０を介してＣＰＵ３７０へ入力される。ＣＰＵ３７０は、入力された信号に応じて、入口搬送コロ２０２を駆動する入口駆動モータ３２８、切替爪２０４の切り替え動作を行うソレノイド３７３、戻しローラ２１０を駆動する叩きソレノイド３７４、搬送コロ２０３，２０５，２０６を駆動する搬送モータ３２９、出口排紙コロ２１１を駆動する排紙モータ３７５、搬送コロ２０７，２０８，２０９を駆動する下搬送モータ３７８、綴じ装置４０１を駆動するスティプルモータ３７６、ステープルトレイ４０２上の用紙を放出する放出ベルト（図示しない）を駆動する放出モータ３７７およびジョガーフェンス４０３を移動させるためのジョガーモータ３７９の駆動を制御する。ＣＰＵ３７０はさらに、入口センサ５０１からの信号によりパンチ駆動モータ３２７の駆動を制御する。
【００２６】
ここで用紙にパンチ処理を行い、綴じ処理を行わずに搬送路２１２を通り、排紙トレイ３０１に排出する場合について説明する。画像形成装置１００からの起動信号により用紙後処理装置２００が起動し、用紙後処理装置の各駆動部はＣＰＵ３７０により画像形成装置１００（以下本体と称する）の用紙搬送速度と同じ第１の搬送速度（本実施形態では３６０ｍｍ／ｓｅｃとしている）で駆動され、用紙の受け入れ準備をする。画像形成装置１００本体の用紙搬送速度は起動信号と一緒に速度情報が用紙後処理装置２００のＣＰＵ３７０へ送信される。本体１００の排紙コロ１０１から用紙先端が排出さると同時に画像形成装置１００本体から用紙後処理装置２００へ先端排紙信号（用紙先端が本体排紙コロを通過したという情報）が送信される。この時同時に画像形成装置１００本体から用紙サイズ、パンチ、綴じなどを行うか否かなどの情報も送信される。画像形成装置１００本体から排出された用紙は、用紙後処理装置２００の入口ガイド板２０１を通り、入口駆動部で駆動される入口搬送コロ２０２によって用紙後処理装置２００に搬入されて行く。用紙後端が画像形成装置１００本体の排紙コロ１０１を通過すると同時に画像形成装置１００本体から用紙後処理装置２００へ後端排紙信号（用紙後端葉が本体１００の排紙コロ１０１を通過したという情報）が送信される。この情報を用紙後処理装置２００が受信すると、ＣＰＵ３７０は、パンチ処理時間を稼ぐように入口駆動部、搬送駆動部、排紙駆動部が第２の搬送速度まで増速して用紙を搬送するようにそれらの駆動源である入口駆動モータ３２８、搬送モータ３２９そして排紙モータ３７５を制御する。この実施の形態においては、第２の搬送速度は８００ｍｍ／ｓｅｃに設定している。なお、第１、第２の搬送速度は装着される本体１００の搬送速度、排紙ＰＰＭにより任意に変化できるようにしてある。例えば、パンチ処理に要する時間に対して画像形成装置から排出されてくる用紙が高速、高ＰＰＭ、あるいは用紙間隔が小さい場合は、第２の搬送速度を高速にして第１の搬送速度との差を大きくし、より多くパンチ処理時間を稼ぐようにする。またパンチ処理に要する時間に対して画像形成装置から排出されてくる用紙が低速、低ＰＰＭ、あるいは用紙ラン各が大きい場合は、第２の搬送速度と第１の搬送速度との差を小さくして、低速で搬送することにより、用紙の搬送中のスリップ、モータの減速・停止時のオーバーランなどによる用紙のパンチ停止位置ズレを小さくでき、パンチ孔位置精度を向上させることができる。
【００２７】
次に用紙の後端が入口コロ２０２の搬送上流位置に設けられている入口センサ５０１で検知されると、搬送モータ３２９に送るパルス数をＣＰＵ３７０内のカウンタでカウントし、用紙後端が入口コロ２０２を通過すると任意のタイミングで入口駆動部の入口駆動モータ３２８は第１の搬送速度まで減速し、続けて搬送されてくる後続用紙の受け入れに備える。搬送駆動部および排紙駆動部の搬送モータ３２９と排紙モータ３７５も用紙後端が入口コロ２０２を通過すると任意のタイミングで予め設定してある任意のパルス数または時間で用紙穿孔位置に減速停止させる。各駆動部の減速パルス数、または減速時間はあらかじめＣＰＵ３７０に設定記憶しておくので、正確に用紙をパンチ穿孔位置に停止させることができる。このように減速して用紙を停止させると、停止位置のずれ、停止位置のばらつきを小さくできる。用紙が停止すると、プレスパンチ装置の回転軸１５に駆動モータの駆動力を伝達するクラッチオンし、プレスパンチによる穿孔が行われる。この間、搬送・排紙駆動部は停止しているが、入口駆動部は後続用紙の受け入れのために第１の搬送速度で駆動される。パンチ穿孔ガ終了すると搬送・排紙駆動部は同期して搬送速度を第１の搬送速度以上（この実施の形態では第２の搬送速度と同じ８００ｍｍ／ｓｅｃに設定しているが、後述の先行用紙の排紙と後続用紙受け入れに間に合えば、任意の搬送速度でよい。）に加速して搬送し、後続用紙先端が搬送駆動部の搬送コロ２０３に到達する以前に、第１の搬送速度に減速可能な任意のタイミングで第１の搬送速度まで減速し、入口駆動部と同期して後続紙を受け入れて搬送する。なお、先のパンチ穿孔された用紙は、後続用紙がパンチ穿孔のために減速停止する以前に排紙コロ２１１を離れてトレイ３０１へ排出できるようなタイミングにパンチ穿孔後の搬送速度を設定してある。また、パンチ停止時に用紙が搬送駆動部と排紙駆動に跨らない用紙サイズの場合は、パンチ停止時排紙駆動部を停止させずに任意の排紙速度に変化してもよい。ただし、パンチ穿孔後に搬送駆動部と速度同期できるようにしなければならない。綴じ処理を行う場合もパンチ処理動作については同じである。
【００２８】
【発明の効果】
これまでの説明から明らかなように、請求項１記載の発明によれば、画像形成装置からの用紙の受け取りが完了してから、用紙を増速搬送して後続の用紙との間隔を稼いでいるので、高速、高ＰＰＭ、用紙間隔の小さい画像形成装置においても用紙を一時停止させてパンチ処理を行う必要のある安価なプレス式パンチ処理装置を使用することができ、用紙処理装置を安価に提供することができる。
【００２９】
請求項２記載の発明によれば、入口駆動部、搬送駆動部をそれぞれ独立で非同期に制御しているので、先行用紙のパンチ処理のための停止中に、平行して後続用紙の受け入れが行え、より高速、高ＰＰＭ、用紙間隔の小さい画像形成装置にも対応可能になる。
【００３０】
請求項３記載の発明によれば、第２の搬送速度で搬送中の用紙が入口駆動部を抜けて、次の搬送駆動部への受け渡し完了後、任意のタイミングで後続用紙が入口駆動部に到達する以前に、速やかに入口駆動部を第１の搬送速度に減速するので、先行用紙のパンチ処理と平行して後続用紙を待たせることなく、スムーズに受け入れ、搬送を行うことができ、高速、高ＰＰＭ、用紙間隔の小さい画像形成装置にも対応させることができる。
【００３１】
請求項４記載の発明によれば、第２の搬送速度で搬送中の用紙が入口駆動部を抜けて、次の搬送駆動部への受け渡し完了後、任意のタイミングで搬送駆動部を減速停止させているので、用紙停止位置のズレ、バラつきを小さくすることができ、パンチ孔の位置精度を向上させることができる。
【００３２】
請求項５記載の発明によれば、第１の搬送速度と第２の搬送速度との差が大きくなるように第２の搬送速度を高速にして搬送しているので、パンチ処理時間を多く稼ぐことができ、高速、高ＰＰＭ、用紙間隔の小さい画像形成装置にも対応させることができる。
【００３３】
請求項６記載の発明によれば、画像形成装置が低速、低ＰＰＭ、あるいは用紙間隔がパンチ処理に対して十分間に合う場合、必要以上に第２の搬送速度を上げずにできるだけ低速で搬送するので、用紙の搬送中のスリップ、モータの減速・停止時のオーバーランなどによる、パンチ停止位置のズレやバラつきを小さくでき、パンチ孔位置の精度を向上させることができる。
【００３４】
請求項７記載の発明によれば、パンチ処理終了後、搬送駆動部を第１搬送速度以上の搬送速度まで加速して用紙を搬送するので、後続用紙のパンチ停止以前に用紙を排紙したり、次の搬送駆動部への受け渡しをすることができ、パンチ停止時の先行用紙の停止などによる用紙先端の垂れ下がり、まるまり、スタック用紙の押し出しなどの発生を防止することができる。
【図面の簡単な説明】
【図１】本発明の実施の形態に用いられるプレスパンチ装置を示す斜視図である。
【図２】図１のプレスパンチ装置の駆動カムを示す斜視図である。
【図３】図２の駆動カムを別の方向から見た状態を示す斜視図である。
【図４】図１のプレスパンチ装置に用いられるカムホルダを示す斜視図である。
【図５】図４のカムホルダを別の方向から見た状態を示す斜視図である。
【図６】図４のカムホルダの底面図である。
【図７】図１のプレスパンチ装置に用いられるパンチを示す斜視図である。
【図８】図７のパンチの平面図である。
【図９】本発明の実施の形態における用紙後処理装置全体の構成を概略的に示す図である。
【図１０】図９の用紙後処理装置における制御回路の概略を示すブロック図である。
【符号の説明】
１  プレスパンチ装置
１３  パンチ
１５  回転軸
１７  駆動カム
１００  画像形成装置
２００  用紙後処理装置（本体）
２０２  入口搬送コロ（入口駆動部）
２０３，２０５，２０６    搬送コロ（搬送駆動部）
２０７，２０８，２０９  搬送コロ（下搬送駆動部）
２１１  出口排紙コロ（排紙駆動部）
３２７  パンチ駆動モータ
３２８  入口駆動モータ
３２９  搬送モータ
３７０  ＣＰＵ
３７５  排紙モータ
３７８  下搬送モータ
５０２  パンチ処理装置
【図１】
0003865581.tif 000002
【図２】
0003865581.tif 000003
【図３】
0003865581.tif 000004
【図４】
0003865581.tif 000005
【図５】
0003865581.tif 000006
【図６】
0003865581.tif 000007
【図７】
0003865581.tif 000008
【図８】
0003865581.tif 000009
【図９】
0003865581.tif 000010
【図１０】
0003865581.tif 000011